(57)【要約】      （修正有）【課題】通信システム、ユーザ装置、及び同期方法を提供する。【解決手段】通信システムはユーザ装置とワイヤレスネットワークを含む。暗号化設定情報がユーザ装置に送信される。ワイヤレスネットワークは、論理リンク上でユーザ装置に暗号化設定情報を含むＲＲＣ再設定メッセージを送信する。ユーザ装置は、ＲＲＣ再設定メッセージを受信後、測定レポートを送信するすべての測定演算をサスペンドする。ユーザ装置は、ＲＲＣ再設定メッセージに従う新しい暗号化設定に変更し、ワイヤレスネットワークもこの新しい暗号化設定に変更する。ユーザ装置は、ワイヤレスネットワークにＲＲＣ再設定メッセージに応答するＲＲＣ応答メッセージを送信する。ユーザ装置は、新しい設定に変更後、測定演算を再開する。【選択図】図８
2008289118.tif 000002
【特許請求の範囲】
【請求項１】
一の通信システム用の同期方法において、前記同期システムは、一のユーザ装置及び一のワイヤレスネットワークを含む、同期方法であって、
前記ワイヤレスネットワークを使用して、一の論理リンク上で前記ユーザ装置に暗号化設定情報を含む一のＲＲＣ再設定メッセージを送信する工程と、
前記ＲＲＣ再設定メッセージを受信後、前記ユーザ装置を使用して測定レポートを送信するすべての測定演算をサスペンドする工程と、
前記ユーザ装置を使用して、前記ＲＲＣ再設定メッセージに従う新しい暗号化設定に変更する工程と、
前記ワイヤレスネットワークを使用して前記新しい暗号化設定に変更する工程と、
前記ワイヤレスネットワークをしようして、前記ワイヤレスネットワークに、前記ＲＲＣ再設定メッセージに応えるよう一のＲＲＣ応答メッセージを送信する工程と、
前記ユーザ装置を使用して前記新しい暗号化設定に変更後、前記測定演算を再開する工程と、
を含む同期方法。
【請求項２】
前記測定演算は、周波数内測定、周波数間測定、ＲＡＴ間測定、品質測定、ＵＥ位置決め測定、トラフィック量測定、又はＵＥ内部測定を含む請求項１に記載の同期方法。
【請求項３】
電子情報を送受信する一の送受信ユニットと、
測定演算を実行する一の測定ユニットと、
前記送受信ユニットおよび前記測定ユニットを制御するよう結合される一の同期制御ユニットと、
を含み、
前記送受信ユニットが一のワイヤレスネットワークから一の論理リンク上で暗号化設定情報を含む一のＲＲＣ再設定メッセージを受信すると、前記同期制御ユニットは、前記論理リンク上で測定レポートを送信するすべての前記測定演算をサスペンドするよう前記測定ユニットを制御し、受信した前記ＲＲＣ再設定メッセージに従う新しい暗号化設定に変更するよう前記送受信ユニットを制御し、前記論理リンク上で前記ワイヤレスネットワークに前記ＲＲＣ再設定メッセージに応えるよう一のＲＲＣ応答メッセージを送信するよう前記送受信ユニットを制御し、また、前記測定レポートを送信する前記すべての測定演算を再開するよう前記測定ユニットを制御する、ユーザ装置。
【請求項４】
前記測定演算は、周波数内測定、周波数間測定、ＲＡＴ間測定、品質測定、ＵＥ位置決め測定、トラフィック量測定、又はＵＥ内部測定を含む請求項３に記載のユーザ装置。
【請求項５】
無線アクセスサービスを供給する一のワイヤレスネットワークと、
前記ワイヤレスネットワークから／に電子情報を送受信する一のユーザ装置と、
を含み、
前記ユーザ装置が一の論理リンク上で前記ワイヤレスネットワークから暗号化設定情報を含む一のＲＲＣ再設定メッセージを受信すると、
前記ユーザ装置は、前記論理リンク上の測定レポートを送信するすべての測定演算をサスペンドし、
前記ユーザ装置は、前記受信した暗号化設定情報に従う新しい暗号化設定に変更し、
前記ワイヤレスネットワークは、前記新しい暗号化設定に変更し、
前記ユーザ装置は、前記論理リンク上で前記ワイヤレスネットワークに前記ＲＲＣ再設定メッセージに応えるよう一のＲＲＣ応答メッセージを送信し、
前記ユーザ装置は、前記測定レポートを送信する前記すべての測定演算を再開する、通信システム。
【請求項６】
前記ユーザ装置は、前記ＲＲＣ応答メッセージを送信した以降、前記論理リンクの前記新しい暗号化設定に適用する請求項５に記載の通信システム。
【請求項７】
前記ユーザ装置は、前記ＲＲＣ再設定メッセージを受信すると前記ワイヤレスネットワークに一の確認応答メッセージをフィードバックし、
前記ワイヤレスネットワークは、当該ワイヤレスネットワークが前記確認応答メッセージを受信後、前記新しい暗号化設定に変更する請求項５に記載の通信システム。
【請求項８】
前記ユーザ装置は、前記ＲＲＣ再設定メッセージに従ってサービング無線ネットワークサブシステム（ＳＲＮＳ）再配置を実行する請求項５に記載の通信システム。
【請求項９】
前記測定演算は、周波数内測定、周波数間測定、ＲＡＴ間測定、品質測定、ＵＥ位置決め測定、トラフィック量測定、又はＵＥ内部測定を含む請求項５に記載の通信システム。
【請求項１０】
一の通信システム用の同期方法において、前記同期システムは、一のユーザ装置及び一のワイヤレスネットワークを含む、同期方法であって、
前記ワイヤレスネットワークを使用して一の論理リンク上で前記ユーザ装置に暗号化設定情報を含む一のＲＲＣ再設定メッセージを送信する工程と、
前記ＲＲＣ再設定メッセージを受信後、前記ユーザ装置を使用して前記論理リンク上のＲＲＣ応答メッセージ以外の複数のメッセージの送信をサスペンドする工程と、
前記ユーザ装置を使用して前記ＲＲＣ再設定メッセージに従う新しい暗号化設定に変更する工程と、
前記ワイヤレスネットワークを使用して前記新しい暗号化設定に変更する工程と、
前記ユーザ装置を使用して前記ワイヤレスネットワークに前記ＲＣ再設定メッセージに応えるよう前記ＲＲＣ応答メッセージを送信する工程と、
前記ユーザ装置を使用して前記論理リンク上の前記ＲＲＣ応答メッセージ以外の複数のメッセージの送信を再開する工程と、
を含む同期方法。
【請求項１１】
前記ＲＲＣ再設定メッセージを受信後、前記ユーザ装置を使用して前記論理リンク上のＲＲＣ応答メッセージ以外の複数のメッセージの送信をサスペンドする工程において、前記論理リンク上の前記ＲＲＣ応答メッセージ以外の前記複数のメッセージは、測定レポートを含む請求項１０に記載の同期方法。
【請求項１２】
前記ユーザ装置は、前記ＲＲＣ応答メッセージを送信した以降、前記論理リンクの前記新しい暗号化設定に変更する請求項１又は１０に記載の同期方法。
【請求項１３】
前記ユーザ装置を使用して、前記ＲＲＣ再設定メッセージを受信後、前記ワイヤレスネットワークに一の確認応答メッセージをフィードバックする工程と、
前記ワイヤレスネットワークが前記確認応答メッセージを受信後、当該ワイヤレスネットワークを前記新しい暗号化設定に変更する工程と、
をさらに含む請求項１又は１０に記載の同期方法。
【請求項１４】
前記ＲＲＣ再設定メッセージは、前記ユーザ装置に、サービング無線ネットワークサブシステム（ＳＲＮＳ）再配置を実行させる請求項１又は１０に記載の同期方法。
【請求項１５】
電子情報を送受信する一の送受信ユニットと、
前記送受信ユニットを制御するよう結合される一の同期制御ユニットと、
を含み、
前記送受信ユニットが、一のワイヤレスネットワークから一の論理リンク上で暗号化設定情報を含む一のＲＲＣ再設定メッセージを受信すると、
前記送受信ユニットは、前記論理リンク上のＲＲＣ応答メッセージ以外の複数のメッセージの送信をサスペンドし、
前記送受信ユニットは、受信した前記ＲＲＣ再設定メッセージに従う新しい暗号化設定に変更し、
前記送受信ユニットは、前記論理リンク上で前記ワイヤレスネットワークに前記ＲＲＣ再設定メッセージに応えるよう前記ＲＲＣ応答メッセージを送信し、
前記送受信ユニットは、前記論理リンク上の前記ＲＲＣ応答メッセージ以外の複数のメッセージの送信を再開する、ユーザ装置。
【請求項１６】
前記送受信ユニットは、前記ＲＲＣ再設定メッセージを受信後、前記ユーザ装置を使用して前記論理リンク上の前記ＲＲＣ応答メッセージ以外の複数のメッセージの送信をサスペンドし、
前記論理リンク上の前記ＲＲＣ応答メッセージ以外の複数のメッセージは、測定レポートを含む請求項１５に記載のユーザ装置。
【請求項１７】
前記送受信ユニットは、前記ＲＲＣ応答メッセージを送信した以降、前記論理リンクの前記新しい暗号化設定に適用する請求項３又は１５に記載のユーザ装置。
【請求項１８】
前記ユーザ装置は、前記ＲＲＣ再設定メッセージに従ってサービング無線ネットワークサブシステム（ＳＲＮＳ）再配置を実行する請求項３又は１５に記載のユーザ装置。
【発明の詳細な説明】
【技術分野】
【０００１】
本発明は、一般的に、通信同期方法、特に、第三世代移動通信システムの呼切断確率を減少することを目的として第三世代移動通信システムでの使用に適応された同期方法に関する。
【背景技術】
【０００２】
情報時代の訪れと共に、移動オーディオ、データ通信、及び様々な移動サービスに対する要求はますます増加している。通信チャネル数の制限や不十分な伝送速度が、同時通信システムの更なる発展を阻んできた。したがって、高周波帯域を使用する効率及び高速伝送サービスを提供可能な第三世代（３Ｇ）の移動通信が発展してきた。
【０００３】
図１は、３Ｇ移動通信ネットワークを示す図である。図１を参照するに、たとえば、セルラ式電話、又は、その他の手持ち式通信装置のうちの１つといったユーザ機器（ＵＥ）１０は、無線信号を介して汎用移動電話通信システム無線アクセスネットワーク（ＵＴＲＡＮ）１１と通信する。ＵＴＲＡＮ１１は、幾つかの無線ネットワークサブシステム（ＲＮＳ）１２１、１２２を含む。各ＲＮＳは、無線ネットワーク制御器（ＲＮＣ）１３１、１３２により制御される。各ＲＮＣには、複数のノード基地（ノードＢ）１４１−１４３に接続される。たとえば、図１に示すように、ＲＮＳ１２１は、ＲＮＣ１３１と、ノードＢ１４１、１４２を含み、ＲＮＳ１２２は、ＲＮＣ１３２と、ノードＢ１４３を含む。ＵＴＲＡＮ１１は、たとえば、インターネットといった他の電気通信ネットワークに、コアネットワーク（ＣＮ）１５を介して通信し、それにより３Ｇオーディオ及び／又はデータ伝送サービスを提供する。
【０００４】
移動するか又はワイヤレス環境が変化すると、ＵＴＲＡＮは、ＵＥを、たとえば、ＲＮＳ１２１への接続からＲＮＳ１２２に接続するよう変更するといったように様々なＲＮＳ間でシフトしうる。このような処理は、サービング無線ネットワークサブシステム（ＳＲＮＳ）再配置と称する。このような処理では、ＵＥ１０及びＵＴＲＡＮ１１は、同時に同一のセッティング設定を使用することにより互いに通信しなくてはならない。たとえば、ＵＥ１０及びＵＴＲＡＮ１１は、データを暗号化又は復号化するために新しいセッティング設定に対応するデータ暗号を同時に使用しなければならない。
【０００５】
図２は、ＵＥとＵＴＲＡＮの間での３Ｇ移動通信同期を説明する図である。図１及び２を参照するに、ＳＲＮＳ再配置処理では、ＵＴＲＡＮは、暗号化設定情報を含む無線リソース制御（ＲＲＣ）メッセージを送信する。暗号化設定情報を含むＲＲＣ再設定メッセージを受信後、ＵＥは、対応する新しい暗号化設定に変更し、ＲＲＣ応答メッセージをＵＴＲＡＮに送信する。たとえば、ＵＴＲＡＮは、ダウンリンクカウンタ同期情報を含むＵＴＲＡＮモビリティ情報ＲＲＣメッセージをＵＥに送信する。このＲＲＣメッセージを受信後、ＵＥは、新しい設定に変更し、ＲＲＣメッセージの受信に応えるようＵＴＲＡＮモビリティ情報確認ＲＲＣメッセージをフィードバックする。
【０００６】
３Ｇ移動通信の標準によって、ＵＥは、たとえば、ワイヤレスチャネルを測定するよう設定され、その測定に応じてＲＮＣは、チャネルソース管理を実行及び制御する。得られる結果は、様々なサービスの品質を維持するためのワイヤレスチャネル品質係数の調整にも依存する。したがって、ＵＥは、測定イベント又は標準に従ってＵＴＲＡＮに所定の時間に測定レポートを伝送する。しかし、３Ｇ移動通信標準は、ＵＴＲＡＮがその対応する新しい暗号化設定を使用すべき時を明確に定義しない。したがって、ＵＴＲＡＮは、データを符号化又は復号化するためにＵＥと同じデータ暗号を正しく使用することができない。このことは、図４を参照しながら以下に説明する。
【０００７】
図３は、３Ｇ移動通信におけるＵＥとＵＴＲＡＮとの間の同期失敗により正しく暗号化／復号化されないことを説明する図である。開始時、ＵＴＲＡＮは、ダウンリンクカウンタ同期情報と、新しい暗号化設定を含む暗号化モード情報を含むＵＴＲＡＮモビリティ情報ＲＲＣメッセージをＵＥに送信する。しかし、このＲＲＣメッセージを受信後、ＵＥは、新しい暗号化設定に変更してＵＴＲＡＮモビリティ情報確認をフィードバックする前に、測定イベントによりトリガされて又は標準に従って所定の時間にＵＴＲＡＮに測定レポートを送信するよう測定演算（たとえば、信号強度測定及び／又はバッファ使用状況報告）を実行する可能性が最も高い。このような場合、ＵＥは、この測定レポートを送信するために古い設定を使用してしまう。不都合なのは、ＵＴＲＡＮが、この測定レポートを受信する際すでに新しい暗号化設定を使用している場合、ＵＥとＵＴＲＡＮは非同期となり、したがって、両者間ではデータが正しく暗号化／復号化されなくなる。データが正しく暗号化／復号化されないことによる影響を、図４を参照して以下に説明する。
【０００８】
図４は、ＵＥ及びＵＴＲＡＮによって正しくデータが暗号化／復号化されないことを説明する図である。図４を参照するに、ＵＥにより送信された測定レポートは、複数のプロトコルデータユニット（ＰＤＵ）４０１−４０２から構成され、一方、ＵＴＲＡＮモビリティ情報確認は、ＲＬＣエンティティのＰＤＵ４０３−４０４から構成されると仮定する。データが非同期に暗号化／復号化されると、ＵＴＲＡＮは、受信したＰＵＤ４０５−４０８を、正しくないサービスデータユニット（ＳＤＵ）、たとえば、ＳＤＵ４１１及びＳＤＵ４１２に復号化し、これらは、ＲＲＣメッセージを形成しない。測定レポートは、ワイヤレス接続の測定値を含み、ＵＴＲＡＮは、この測定値に応じて交換セルを選択することができる。最も重要なことは、ＵＥとＵＴＲＡＮ間の新しいデータ暗号設定はもはや同期されておらず、また、古い設定に戻すことができないことである。したがって、呼切断確率が上がってしまう。
【発明の概要】
【０００９】
本発明は、通信システム用の同期方法に関する。本発明の同期方法は、システム再配置処理において、ユーザ装置とユーザ装置のワイヤレスネットワークが、同じ設定でデータを同期伝送することを確実にし、それにより、データ暗号化／復号化誤りを回避し、伝送失敗を減少し、また、呼切断率を減少するよう適応される。
【００１０】
本発明は、ユーザ装置を提供することを目的とする。システム再配置処理において、本発明のユーザ装置は、同一設定でデータを伝送するようワイヤレスネットワークと同期されることが保証される。このようにして、データ暗号化／復号化演算は信頼性が高まり、伝送到着率及び呼維持率が高められる。
【００１１】
本発明は、通信システムを提供することを目的とする。システム再配置処理において、同一の設定でデータを伝送するよう互いに同期されるべきユーザ装置及びそのワイヤレスネットワークが保証される。このようにして、データ暗号化／復号化演算は信頼性が高まり、伝送到着率及び呼維持率が高められる。
【００１２】
本発明は、通信システム用の暗号化設定同期方法に関する。同期システムは、ユーザ装置とワイヤレスネットワークを含む。ワイヤレスネットワークは、論理リンク上でユーザ装置に暗号化設定情報を含むＲＲＣ再設定メッセージを送信する。ユーザ装置は、暗号化設定情報の受信後、測定レポートを送信するすべての測定演算をサスペンドする。ユーザ装置は、受信した暗号化設定情報に従って新しい暗号化設定に変更する。ワイヤレスネットワークも新しい暗号化設定に変更する。ユーザ装置は、新しい設定に変更後、測定演算を再開する。
【００１３】
本発明はさらに、ユーザ装置に関する。ユーザ装置は、送受信ユニットと、測定ユニットと、同期制御ユニットを含む。送受信ユニットは、電子情報を送受信するよう適応される。測定ユニットは、測定演算を実行するよう適応される。同期制御ユニットは、送受信ユニット及び測定ユニットに結合される。送受信ユニットがワイヤレスネットワークから暗号化設定情報を含むＲＲＣ再設定メッセージを受信すると、同期制御ユニットは、測定レポートを送信するすべての測定演算をサスペンドするよう測定ユニットを制御し、受信したＲＲＣ再設定メッセージに従って新しい暗号化設定に変更するよう送受信ユニットを制御し、また、送受信ユニットが新しい暗号化設定に変更後、測定演算を再開するよう測定ユニットを制御する。
【００１４】
本発明はさらに、通信システムに関する。本発明の一実施形態では、通信システムは、ワイヤレスネットワークとユーザ装置を含む。ワイヤレスネットワークは、無線アクセスサービスを供給するよう適応される。ユーザ装置は、ワイヤレスネットワークから／に電子情報を送受信するよう適応される。ユーザ装置が、ワイヤレスネットワークから暗号化設定情報を含むＲＲＣ再設定メッセージを受信すると、ユーザ装置は、測定レポートを送信するすべての測定演算をサスペンドし、次に、ユーザ装置は、暗号化設定情報に従って新しい暗号化設定に変更し、次に、ワイヤレスネットワークが新しい暗号化設定に変更し、次に、新しい暗号化設定に変更後、ユーザ装置は、測定演算を再開する。
【００１５】
本発明はさらに、通信システム用の同期方法に関する。同期システムは、ユーザ装置とワイヤレスネットワークを含む。ワイヤレスネットワークは、論理リンク上でユーザ装置に暗号化設定情報を含むＲＲＣ再設定メッセージを送信する。ユーザ装置は、ＲＲＣ再設定メッセージを受信後、論理リンク上でのＲＲＣ応答メッセージ以外のメッセージの伝送をサスペンドする。ユーザ装置は、ＲＣＣ再設定メッセージに従って新しい暗号化設定に変更する。ワイヤレスネットワークは新しい暗号化設定に変更する。ユーザ装置は、ワイヤレスネットワークに、ＲＲＣ再設定メッセージに応えるようＲＲＣ応答メッセージを送信する。ユーザ装置は、論理リンク上でのＲＲＣ応答メッセージ以外のメッセージの伝送を再開する。
【００１６】
本発明はさらに、送受信ユニット及び同期制御ユニットを含むユーザ装置に関する。送受信ユニットは、電子情報を送受信するよう適応される。同期制御ユニットは、送受信ユニットを制御するよう結合される。送受信ユニットは、ワイヤレスネットワークから論理リンク上で暗号化設定情報を含むＲＲＣ再設定メッセージを受信すると、論理リンク上のＲＲＣ応答メッセージ以外のメッセージの伝送をサスペンドし、受信したＲＲＣ再設定メッセージに従って新しい暗号化設定に変更し、論理リンク上でワイヤレスネットワークにＲＲＣ再設定メッセージに応えるようＲＲＣ応答メッセージを送信し、論理リンク上でのＲＲＣ応答メッセージ以外のメッセージの伝送を再開する。
【００１７】
本発明では、暗号化設定情報を受信すると、ユーザ装置は、測定レポートを送信するすべての測定演算をサスペンドし、次に、暗号化設定情報に従って新しい暗号化設定に変更し、また、ワイヤレスネットワークは、新しい暗号化設定に変更し、新しい暗号化設定に変更後、ユーザ装置は、測定演算を再開する。従って、伝送失敗を低減し、その呼切断確率を減少する。
【図面の簡単な説明】
【００１８】
添付図面は、本発明の更なる理解を与えるよう含まれ、本願の一部として組み込み且つ本願の一部を構成する。図面は、本発明の実施形態を示し、また、詳細な説明と共に、本発明の原理を説明することを目的とする。
【００１９】
【図１】３Ｇ移動通信ネットワークを示す概略図である。
【００２０】
【図２】ＵＥ及びＵＴＲＡＮ間の３Ｇ移動通信同期を説明する概略図である。
【００２１】
【図３】３Ｇ移動通信のＵＥ及びＵＴＲＡＮ間の同期失敗により正しく暗号化／復号化されない様子を説明する概略図である。
【００２２】
【図４】ＵＥ及びＵＴＲＡＮによってデータが正しく暗号化／復号化されない様子を説明する概略図である。
【００２３】
【図５】本発明の一実施形態による通信システムを示す図である。
【００２４】
【図６】本発明の一実施形態によるＵＥ５０を示す回路図である。
【００２５】
【図７】本発明の一実施形態による通信システムの同期方法を説明するフローチャートである。
【００２６】
【図８】本発明の一実施形態による通信システムの同期方法を説明する概略図である。
【００２７】
【図９】本発明の別の実施形態による通信システムの同期方法を説明するフローチャートである。
【００２８】
【図１０】本発明の別の実施形態による通信システムの同期方法を説明する概略図である。
【００２９】
【図１１】本発明の別の実施形態による通信システムの同期方法を説明するフローチャートである。
【００３０】
【図１２】本発明の別の実施形態による通信システムの同期方法を説明する概略図である。
【発明を実施するための最良の形態】
【００３１】
本発明の好適な実施形態を詳細に参照する。本発明の好適な実施形態の例は、添付図面に示す。可能な限り図面中同一の参照番号を使用し、また、説明は同一又は類似の部分について述べているものとする。本発明は、任意の通信システムに適用可能である。以下の実施形態では、本発明は、第三世代（３Ｇ）移動通信システムに適用する。
【００３２】
ユーザ装置とワイヤレスネットワークが新しい設定（たとえば、新しい暗号化設定）を使用する時点を明確に定義することができないことから、従来技術では、しばしば、システム再配置処理時にユーザ装置とワイヤレスネットワークの暗号化設定を同期することができず、これは、システム伝送失敗率及びその呼切断確率を増加する可能性がある。従来技術のこの課題を解決する目的で、本発明は、ユーザ装置及びワイヤレスネットワークが、システム再配置処理を行う必要がある場合に、同期して新しい暗号化設定に更新可能であり、それにより、伝送失敗率及びそれに関連付けられる呼切断確率を減少する、通信システムを同期するためのスキーム及び／又は方法を提供する。
【００３３】
図５は、本発明の一実施形態による通信システムを示す図である。図５を参照するに、本発明の一実施形態による通信システムは、ユーザ装置（たとえば、３ＧシステムにおけるＵＥ５０）とワイヤレスネットワーク（たとえば、３ＧシステムにおけるＵＴＲＡＮ５１）を含む。ＵＴＲＡＮ５１は、複数のサブシステム（たとえば、３ＧシステムにおけるＲＮＳ５２１−５２３）を含む。ＵＴＲＡＮ５１は、ＵＥ５０に無線アクセスサービスを供給する。ＵＥ５０及びＵＴＲＡＮ５１は、電子情報を相互に送受信することにより互いと通信する。図６は、本発明の一実施形態によるＵＥ５０を示す回路図である。図６を参照するに、本実施形態によるＵＥ５０は、送受信ユニット６１と、測定ユニット６３と、同期制御ユニット６２を含む。送受信ユニット６１に結合される測定ユニット６３は、測定演算を実行し、また、測定演算の測定レポートを、送受信ユニット６１を介してＵＴＲＡＮ５１に送信するよう適応される。同期制御ユニット６２は、ＵＥ５０の設定（たとえば、暗号化設定）を制御するよう送受信ユニット６１及び測定ユニット６３に結合される。なお、本実施形態では、送受信ユニット６１の詳細、すなわち、アンテナ、変調器、符号器／復号器は、当業者は実際の要求によりそのような送受信ユニット６１を容易に構成しうるので詳細には説明しない。本実施形態の詳細を、図５及び６を参照して以下に説明する。
【００３４】
本実施形態では、システム再配置（たとえば、３ＧシステムにおけるＳＲＮＳ再配置）処理が開始されると、ＵＴＲＡＮ５１は、暗号化設定情報を含むＲＲＣ再設定メッセージを送信する。次に、ＵＥ５０の送受信ユニット６１がこの暗号化設定情報を受信する。同期制御ユニット６２は、測定レポートを送信するすべての測定演算をサスペンドするよう測定ユニット６３を制御する。従って、送受信ユニット６１は、たとえば、３Ｇシステムにおける無線ベアラ（ＲＢ２）といった論理リンクでの測定レポートの送信をサスペンドする。その後、送受信ユニット６１は、ＲＲＣ再設定メッセージに従って暗号化設定に変更する。すなわち、送受信ユニット６１は、ＲＲＣ再設定メッセージの設定情報に従って新しい暗号化設定に変更する。送受信ユニット６１は、論理リンク上でワイヤレスネットワークにＲＲＣ再設定メッセージに応答するようＲＲＣ応答メッセージを送信する。ＲＢ２は、信号、すなわち、３Ｇ  ＵＭＴＳシステムでのＲＲＣメッセージ伝達のためのある種の論理リンクである。データ（たとえば、音声、ＴＣＰ／ＩＰパケット）及び信号伝達メッセージは、物理層において多重化される。
【００３５】
送受信ユニット６１がＲＲＣ応答メッセージを送信後、同期制御ユニット６２は、測定演算を再開するよう測定ユニット６３を制御する。このようにすると、ＵＥ５０およびＵＴＲＡＮ５１は、互いに対応する新しい暗号化設定により互いに通信可能である。また、送受信ユニット６１はさらに、暗号化設定情報を受信後、ＵＴＲＡＮ５１に確認応答メッセージをフィードバックしてもよく、その後、ＵＴＲＡＮ５１の暗号化設定が、確認応答メッセージを受信後に暗号化設定情報に従って変更される。ここでは、確認応答メッセージは、たとえば、３Ｇ  ＵＭＴＳシステムにおけるＲＬＣ確認応答メッセージである。このようにして、ＵＥ５０とＵＴＲＡＮ５１との間の新しい暗号化設定を使用した同期通信を保証することができる。
【００３６】
簡略にする目的で以下に説明する図面の凡例は省略する。たとえば、以下に説明するＵＥは、図５のＵＥ５０と同じであり、また、ＵＴＲＡＮは、図５のＵＴＲＡＮ５１と同じである。
【００３７】
図７は、本発明の一実施形態による通信システムの同期方法を説明するフローチャートである。図７を参照するに、まず、段階Ｓ７１において、ＵＴＲＡＮは、論理リンク（たとえば、ＲＢ２）上で、暗号化設定情報を含むＲＲＣ再設定メッセージをＵＥに送信する。次に、段階Ｓ７２において、暗号化設定情報を受信後、ＵＥは、ＲＢ２上で測定レポートを送信するすべての測定演算をサスペンドする。次に、段階Ｓ７３において、ＵＥは、ＲＲＣ再設定メッセージ（すなわち、暗号化設定情報）に従って新しい暗号化設定に変更する。次に、段階Ｓ７４において、ＵＴＲＡＮは、新しい暗号化設定に変更する。次に、ＵＥは、ＲＢ２上でＵＴＲＡＮに、ＲＲＣ再設定メッセージに応じるようＲＲＣ応答メッセージを送信する段階Ｓ７５を実行する。最後に、段階Ｓ７６において、ＵＥは、ＲＲＣ応答メッセージを送信後、測定演算を再開する。
【００３８】
図８は、本発明の一実施形態による通信システムの同期方法を説明する図である。図７及び８を参照するに、本発明の一実施形態による同期方法を開始する好適な時点は、ＵＥが、ＳＲＮＳ再配置処理において、ＵＴＲＡＮと接続しているＲＮＳを変更する必要があるときである。開始時、すなわち、時間ｔ１において、ＵＥ及びＵＴＲＡＮは共に、たとえば、暗号化／復号化するための古い暗号化設定に対応するデータ暗号を使用するといったように古い暗号化設定を使用する。ＳＲＮＳ再配置処理が開始すると、図７に段階Ｓ７１として示すように、図８のｔ２において、ＵＴＲＡＮは、暗号化設定情報を含むＲＲＣ再設定メッセージをＵＥに送信する。
【００３９】
現在の標準では、ＵＴＲＡＮは、ダウンリンクカウンタ同期情報及び暗号化モード情報を暗号化設定情報として送信し、ＵＥにＳＲＮＳ再配置を実行させるようＲＡＤＩＯ  ＢＥＡＲＥＲ  ＳＥＴＵＰメッセージ、ＲＡＤＩＯ  ＢＥＡＲＥＲ  ＲＥＬＥＡＳＥメッセージ、ＴＲＡＮＳＰＯＲＴ  ＣＨＡＮＮＥＬ  ＲＥＣＯＮＦＩＧＵＲＡＴＩＯＮメッセージ、ＰＨＹＳＩＣＡＬ  ＣＨＡＮＮＥＬ  ＲＥＣＯＮＦＩＧＵＲＡＴＩＯＮメッセージ、ＣＥＬＬ  ＵＰＤＡＴＥ  ＣＯＮＦＩＲＭメッセージ、ＵＲＡ  ＵＰＤＡＴＥ  ＣＯＮＦＩＲＭメッセージ、又はＵＴＲＡＮ  ＭＯＢＩＬＩＴＹ  ＩＮＦＯＲＭＡＴＩＯＮメッセージといった任意のＲＲＣ再設定メッセージを選択することができる。ＵＴＲＡＮは、ＲＡＤＩＯ  ＢＥＡＲＥＲ  ＲＥＣＯＮＦＩＧＵＲＡＴＩＯＮメッセージといった他のＲＲＣ再設定メッセージも使用して、新しいＵＴＲＡＮ無線ネットワーク一時識別（新しいＵ−ＲＮＴＩ）情報及び暗号化モード情報を暗号化設定情報として送信し、ＵＥにＳＲＮＳ再配置を実行させることも可能である。
【００４０】
ＵＥは、上述の暗号化設定情報を受信すると、測定レポートを送信するすべての測定演算をサスペンドする（図８に示す時間ｔ３、図７に示す段階Ｓ７２）。測定演算には、周波数内測定、周波数間測定、ＲＡＴ間測定、品質測定、ＵＥ位置決め測定、トラフィック量測定、又はＵＥ内部測定を含みうる。従って、ＵＥは、測定イベント又は上述の標準に対する測定レポートの送信をサスペンドする。次に、段階Ｓ７３において、ＵＥは、図８に示す時間ｔ４において、図７で説明したように暗号化設定情報に従ってＲＢ２上で新しい暗号化設定に変更する。ＵＴＲＡＮは、図８に示す時間ｔ２においてＲＢ２上で新しい暗号化設定に変更する（段階Ｓ７４）。次に、時間ｔ４において、ＲＢ２上で新しい暗号化設定に更新後、ＵＥは、ＵＴＲＡＮにＲＲＣ再設定メッセージに応えるようＲＲＣ応答メッセージを送信する（図８に示す時間ｔ５、図７に示す段階Ｓ７５）。次に、段階Ｓ７６において、ＲＢ２上でＲＲＣ応答メッセージを送信後、図８に示す時間ｔ６において、図７に示すようにＵＥは測定演算を再開する。
【００４１】
本実施形態では、ＵＴＲＡＮは、図８に示す時間ｔ２において、図７で説明した暗号化設定情報を含むＲＲＣ再設定変更メッセージを送信した後に新しい暗号化設定に変更すること（段階Ｓ７４）ができる。以下にこのことについての動作の詳細を説明する。したがって、ＵＥ及びＵＴＲＡＮは、たとえば、システムの伝送失敗率及びその呼切断確率を減少するよう暗号化設定情報により命令される暗号に応じて暗号化／復号化するといったように新しい暗号化設定で一貫して互いに通信可能である。
【００４２】
なお、上述の例示的な実施形態は、本発明による好適なスキームを説明する一方で、段階Ｓ７１乃至Ｓ７５は、それらに限定されるわけではない。たとえば、当業者は、上述の説明から、ＵＥとＵＴＲＡＮとの間の同期は、ＵＴＲＡＮによって、段階Ｓ７１を行った後に新しい暗号化設定に変更し（たとえば、段階Ｓ７４）、その後、ＵＥが、段階Ｓ７２、Ｓ７３、及びＳ７５をこの順番で実行することによっても得られうることは分かるであろう。さらに、ＵＥによる変更設定情報の受信は、ＵＥが環境的な要因により暗号化設定情報を受信失敗することを回避するよう確実にされ、また、当業者はさらに、ＵＥがＲＬＣ確認応答メッセージをフィードバックするまで待機し、その後、新しい暗号化設定に変更するようＵＴＲＡＮを設計することも可能である。
【００４３】
ＳＲＮＳ再配置処理時に測定レポートを送信する場合を検討する。本発明の別の実施形態を図９及び図１０を参照して説明する。
【００４４】
図９は、本発明の別の実施形態による通信システムの同期方法を説明するフローチャートである。図１０は、本発明の別の実施形態による通信システムの同期方法を説明する図である。図９及び図１０を参照するに、図１０に示す時間ｔ１において、ユーザ装置（たとえば、３ＧシステムにおけるＵＥ）及びワイヤレスネットワーク（たとえば、３ＧシステムにおけるＵＴＲＡＮ）は、古い暗号化設定で通信する。次に、図１０に示す時間ｔ２において、ＵＴＲＡＮは、暗号化設定情報を含むＲＲＣ再設定メッセージ（たとえば、３ＧシステムにおけるＵＴＲＡＮ  ＭＯＢＩＬＩＴＹ  ＩＮＦＯＲＭＡＴＩＯＮメッセージ）をＵＥに送信する段階Ｓ９１を実行する。ＵＴＲＡＮ  ＭＯＢＩＬＩＴＹ  ＩＮＦＯＲＭＡＴＩＯＮメッセージは、システム再配置（たとえば、３ＧシステムにおけるＳＲＮＳ再配置）処理をトリガするＩＥ「ダウンリンクカウンタ同期情報」と、新しい暗号化設定をセットアップするＩＥ「暗号化モード情報」を含むと仮定する。ＵＴＲＡＮ  ＭＯＢＩＬＩＴＹ  ＩＮＦＯＲＭＡＴＩＯＮメッセージを受信後、ＵＥは、図１０に示す時間ｔ３においてＵＴＲＡＮにＲＬＣ確認応答メッセージをフィードバックし、ＵＴＲＡＮ  ＭＯＢＩＬＩＴＹ  ＩＮＦＯＲＭＡＴＩＯＮメッセージに従う新しい暗号化設定に変更する段階Ｓ９２を実行する。
【００４５】
次に、図１０に示す時間ｔ４において、ＵＥは、測定レポートを送信するすべての測定演算をサスペンドする段階Ｓ９３を実行する。測定演算には、周波数内測定、周波数間測定、ＲＡＴ間測定、品質測定、ＵＥ位置決め測定、トラフィック量測定、又はＵＥ内部測定を含みうる。従って、ＵＥは、測定イベント又は上述の標準に対する測定レポートの送信をサスペンドする。次に、段階Ｓ９４及び時間ｔ４において、ＵＴＲＡＮは、ＲＬＣ確認応答メッセージを受信後、新しい暗号化設定に変更する。ＵＥは、時間ｔ６において、ＲＲＣ再設定メッセージに対応するＲＲＣ応答メッセージ（たとえば、３ＧシステムにおけるＵＴＲＡＮ  ＭＯＢＩＬＩＴＹ  ＩＮＦＯＲＭＡＴＩＯＮ  ＣＯＮＦＩＲＭメッセージ）を送信する段階Ｓ９５を実行する。ここでは、ＵＥは、ＲＲＣ応答メッセージを送信した以降、論理リンク（たとえば、３ＧシステムにおけるＲＲＣ  ＲＢ２）の新しい暗号化設定に適用する。最後に、ＵＥは、時間ｔ７において、測定演算を再開する段階Ｓ９６を実行する。このようにして、ＵＥ及びＵＴＲＡＮは、しばしば、データ暗号化／復号化誤りを引き起こす非同期の暗号化設定を使用する必要がなくなる。
【００４６】
本発明の別の実施形態を、図１１及び図１２を参照して以下に説明する。図１１は、本発明の別の実施形態による通信システムの同期方法を説明するフローチャートである。図１２は、本発明の別の実施形態による通信システムの同期方法を説明する図である。図１１及び図１２を参照する。図１２に示す時間ｔ１において、ユーザ装置（たとえば、３ＧシステムにおけるＵＥ）及びワイヤレスネットワーク（たとえば、３ＧシステムにおけるＵＴＲＡＮ）は、古い暗号化設定で通信する。次に、図１２に示す時間ｔ２において、ＵＴＲＡＮは、論理リンク（たとえば、３ＧシステムにおけるＲＲＣ  ＲＢ２）上でＵＥに暗号化設定情報を含むＲＲＣ再設定メッセージ（たとえば、３ＧシステムにおけるＵＴＲＡＮ  ＭＯＢＩＬＩＴＹ  ＩＮＦＯＲＭＡＴＩＯＮメッセージ）を送信する段階Ｓ１１１を実行する。ＵＴＲＡＮ  ＭＯＢＩＬＩＴＹ  ＩＮＦＯＲＭＡＴＩＯＮメッセージは、システム再配置（たとえば、３ＧシステムにおけるＳＲＮＳ再配置）処理をトリガするＩＥ「ダウンリンクカウンタ同期情報」と、新しい暗号化設定をセットアップするＩＥ「暗号化モード情報」を含むと仮定する。ＲＲＣ再設定メッセージは、システム再配置（たとえば、３ＧシステムにおけるＳＲＮＳ再配置）処理をトリガする新しいＵＴＲＡＮ無線ネットワーク一時識別（Ｕ−ＲＮＴＩ）と、新しい暗号化設定をセットアップするＩＥ「暗号化モード情報」を含むＲＡＤＩＯ  ＢＥＡＲＥＲ  ＲＥＣＯＮＦＩＧＵＲＡＴＩＯＮメッセージであることが可能である。ＵＴＲＡＮ  ＭＯＢＩＬＩＴＹ  ＩＮＦＯＲＭＡＴＩＯＮメッセージを受信後、ＵＥは、図１２に示す時間ｔ３において、ＵＴＲＡＮ  ＭＯＢＩＬＩＴＹ  ＩＮＦＯＲＭＡＴＩＯＮメッセージに従う新しい暗号化設定に変更し、また、ＵＴＲＡＮにＲＬＣ確認応答メッセージをフィードバックする段階Ｓ１１２を実行する。他の実施形態では、ＵＥは、ＲＲＣ応答メッセージの送信以降、ＲＢ２の新しい暗号化設定に変更する。
【００４７】
次に、図１２の時間ｔ４において、ＵＥは、ＲＢ２上のＲＲＣ応答メッセージ以外のメッセージの伝送をサスペンドする段階Ｓ１１３を実行する。時間ｔ４において測定イベントがトリガされる又は定期レポートが生成される場合、ＭＥＡＳＵＲＥＭＥＮＴ  ＲＥＰＯＲＴメッセージの伝送がサスペンドされる。段階Ｓ１１４において、ＵＴＲＡＮは、時間ｔ３においてＲＬＣ確認応答メッセージを受信後、新しい暗号化設定に変更する。次に、段階Ｓ１１５及び時間ｔ６において、ＵＥは、ＵＴＲＡＮにＲＲＣ再設定メッセージに応じるようＲＲＣ応答メッセージ（たとえば、３ＧシステムにおけるＵＴＲＡＮ  ＭＯＢＩＬＩＴＹ  ＩＮＦＯＲＭＡＴＩＯＮ  ＣＯＮＦＩＲＭメッセージ）を伝送する。最後に、ＵＥは、時間ｔ７においてＲＢ２上でＲＲＣ応答メッセージ以外のメッセージの伝送を再開する段階Ｓ１１６を実行する。従って、ＵＥは、図１２に示す時間ｔ８において、ＵＴＲＡＮに測定情報（たとえば、ＭＥＡＳＵＲＥＭＥＮＴ  ＲＥＰＯＲＴメッセージ）をフィードバックする。測定レポートは、周波数内測定レポート、周波数間測定レポート、ＲＡＴ間測定レポート、品質測定レポート、ＵＥ位置決め測定レポート、トラフィック量測定レポート、又はＵＥ内部測定レポートでありうる。このようにして、ＵＥ及びＵＴＲＡＮは、しばしば、データ暗号化／復号化誤りを引き起こす非同期の暗号化設定を使用する必要がなくなる。
【００４８】
要約するに、本発明の実施形態では、暗号化設定情報を含むＲＲＣ再設定メッセージを受信すると、ＵＥは、測定レポートを送信するすべての測定演算をサスペンドする。ＵＥ及びＵＴＲＡＮは、受信した暗号化設定情報に従って新しい暗号化設定に変更する。新しい暗号化設定に変更した後、ＵＥは、測定演算を再開する。このようにして、ＵＥ及びＵＴＲＡＮは、ＳＲＮＳ再配置処理において、同一の暗号化設定を使用してデータを同期して伝送することが保証される。したがって、暗号化／復号化誤りは効果的に回避され、それにより、電子情報の伝送失敗は低減し、また、その呼切断確率が減少する。
【００４９】
当業者には、本発明の範囲又は精神から逸脱することなく本発明の構造に様々な修正及び変更を加えうることは明らかであろう。上述に鑑みて、本発明は、本発明の修正及び変更はそれらが請求項及びその等価物の範囲内である限り本発明の対象であることを意図する。
【符号の説明】
【００５０】
１０、５０  ユーザ装置
１１、５１  ＵＴＲＡＮ
１５  コアネットワーク
１２１、１２２、５２１、５２２、５２３  無線ネットワークサブシステム
１３１、１３２  無線ネットワーク制御器
１４１、１４２、１４３  ノード基地
６１  送受信ユニット
６２  同期制御ユニット
６３  測定ユニット
【図１】
2008289118.tif 000003
【図２】
2008289118.tif 000004
【図３】
2008289118.tif 000005
【図４】
2008289118.tif 000006
【図５】
2008289118.tif 000007
【図６】
2008289118.tif 000008
【図７】
2008289118.tif 000009
【図８】
2008289118.tif 000010
【図９】
2008289118.tif 000011
【図１０】
2008289118.tif 000012
【図１１】
2008289118.tif 000013
【図１２】
2008289118.tif 000014
【外国語明細書】
2008289118.tif 000015
2008289118.tif 000016
2008289118.tif 000017
2008289118.tif 000018
2008289118.tif 000019
2008289118.tif 000020
2008289118.tif 000021
2008289118.tif 000022
2008289118.tif 000023
2008289118.tif 000024
2008289118.tif 000025
2008289118.tif 000026
2008289118.tif 000027
2008289118.tif 000028
2008289118.tif 000029
2008289118.tif 000030
2008289118.tif 000031
2008289118.tif 000032
2008289118.tif 000033
2008289118.tif 000034
2008289118.tif 000035
2008289118.tif 000036
2008289118.tif 000037
2008289118.tif 000038
2008289118.tif 000039
2008289118.tif 000040
2008289118.tif 000041
2008289118.tif 000042
2008289118.tif 000043
2008289118.tif 000044